(57)【要約】【課題】交換ユニットの本体キャビネットへの着脱作業を容易なものにすることができるようにした遊技機を提供する。【解決手段】前記遊技機（Ｓ）は、前記本体キャビネット（１）に対して交換可能に形成された交換ユニット（２）を備え、少なくとも前記リールユニット（２０）は、この前記リールユニット（２０）を装着するための枠（２１）を介して前記交換ユニット（２）に組み込まれ、前記中板（１２）は、その上面に前記交換ユニット（２）を前記正面開口部（１１）の前記中板（１２）より上部側の開口上部（１３）の奥側内部に案内するためのガイド（８０）を備え、前記ガイド（８０）は、手前側を下方に向かって傾斜して形成したことを特徴とする。【選択図】    図１
2004254909.tif 000002
【特許請求の範囲】
【請求項１】
正面側に開口する正面開口部を有する本体キャビネットと、前記本体キャビネットの高さ方向の途中に位置して前記本体キャビネットを上下に仕切る中板と、
前記本体キャビネットの正面開口部を開閉自在に塞ぐ前扉と、
複数の図柄が表示された回転リール及びこの回転リールを回転表示させるための駆動手段を有するリールユニットとを備えた遊技機であって、
前記遊技機は、前記本体キャビネットに対して交換可能に形成された交換ユニットを備え、
少なくとも前記リールユニットは、この前記リールユニットを装着するための枠を介して前記交換ユニットに組み込まれ、
前記中板は、その上面に前記交換ユニットを前記正面開口部の前記中板より上部側の開口上部の奥側内部に案内するためのガイドを備え、
前記ガイドは、手前側を下方に向かって傾斜して形成したことを特徴とする遊技機。
【請求項２】
前記ガイドは、手前側を下方に向かって傾斜可能な折り曲げ手段を備えたことを特徴とする請求項１記載の遊技機。
【請求項３】
前記折り曲げ手段は、
前記ガイドの手前側に位置して下方に向かって傾斜可能な折り曲げガイドと、
前記折り曲げガイドを所定の傾きの状態で維持する状態維持手段とを備え、
前記状態維持手段は、
前記折り曲げガイドを下方に向かって折り曲げて傾斜した状態で維持可能な傾斜状態維持手段と、
前記折り曲げガイドを前記ガイド本体の設置方向と同一方向に維持可能な同一状態維持手段とを備えたことを特徴とする請求項２記載の遊技機。
【請求項４】
前記折り曲げ手段は、前記中板と前記ガイドとが一体として前記ガイドの手前側の下方に向かって傾斜することを特徴とする請求項２又は請求項３に記載の遊技機。
【請求項５】
前記折り曲げ手段による折り曲げ位置を、前記ガイドの前後方向の途中に設けたことを特徴とする請求項２乃至４のいずれか１項に記載の遊技機。
【請求項６】
前記折り曲げ手段による折り曲げ位置を、前記ガイドの奥端部に設けたことを特徴とする請求項２乃至４のいずれか１項に記載の遊技機。
【請求項７】
前記ガイドの少なくとも手前側を軟質部材から形成し、
前記折り曲げ手段による折り曲げは、前記軟質部材自身の変形により行われることを特徴とする請求項２乃至６のいずれか１項に記載の遊技機。
【請求項８】
前記折り曲げ手段は、
前記ガイドの手前側に位置して下方に向かって傾斜可能な折り曲げガイドと、
前記中板の手前側であって、前記折り曲げガイドを上面に固定した折り曲げ中板と、
前記折り曲げ中板の奥側端部に位置して、前記折り曲げ中板の傾斜角度を変更可能な折り曲げ回転軸とを備えたことを特徴とする請求項２乃至６のいずれか１項に記載の遊技機。
【請求項９】
前記本体キャビネットは、その正面開口部から前記交換ユニットの収納位置までの途中の位置に、前記交換ユニットの奥側上部を係止する係止部を備え、
前記交換ユニットを前記係止部に係止することにより、前記交換ユニットを前記本体キャビネットの正面開口部から手前側に一部引き出した途中の状態で、且つ、前記折り曲げ手段により前記交換ユニットを手前側の下方に向かって傾斜させた状態で一時的に保持可能なことを特徴とする請求項１乃至８のいずれか１項に記載の遊技機。
【請求項１０】
前記前扉は、
前記本体キャビネットの正面開口部の上部を開閉自在に塞ぐ上扉と、
前記本体キャビネットの正面開口部の下部を開閉自在に塞ぐ下扉とを備え、
前記交換ユニットの枠の前面には、前記上扉を装着し、
前記上扉及び前記交換ユニットにより扉一体型交換ユニットを形成し、
前記扉一体型交換ユニットは、前記本体キャビネットに対して交換可能に形成されていることを特徴とする請求項１乃至９のいずれか１項に記載の遊技機。
【発明の詳細な説明】
【０００１】
【発明の属する技術分野】
この発明は、交換ユニットや扉一体型交換ユニットの交換作業が容易な遊技機に関するものである。
【０００２】
【従来の技術】
従来、パチンコ機や、スロットマシン等の遊技機を設置している遊技ホールでは、顧客のニーズや他店との競合で優位に立つために、遊技機の製造開発メーカーが開発した斬新なゲーム性をもつ、パチンコ機や、スロットマシンに新台入れ替えと称して、数か月に一度、あるいは、それよりも短いサイクルで遊技内容が異なる遊技機に交換するのが通例となっており、最近では、このサイクルが更に短くなる傾向にある。
【０００３】
そして、従来の遊技機においては、かかる新台入れ替えで遊技内容を変更する際には、遊技機全体を略まるごと交換しなければならなかった。しかし、遊技ホールにおいて、遊技内容を変更するための新台入れ替えの台交換の際、遊技内容の変更に無関係な部品も多数、同時に交換されることとなり、交換に要する費用がかかるだけでなく、資源の無駄になっていた。
【０００４】
そこで、近年、遊技内容に直接、影響するリールユニット及びこのリールユニットの回転リールの回転駆動等を制御する主基板（主制御装置）を、前扉に固定して、前扉ごと一体に本体キャビネットから着脱自在に形成して、交換可能とする発明がなされている（例えば、特許文献１、図１及び図３参照。）。
さらに、リールユニット及び主基板（主制御装置）を固定した前扉に、ホッパー装置（メダル払出装置）や電源装置を固定して、前扉ごと一体に本体キャビネットから着脱自在に形成して交換可能にする発明がなされている（例えば、特許文献１、図４参照。）。
【０００５】
さらに、近年では、遊技機を、遊技性に関わる部分と、遊技性に直接関わらない部分とに分け、このうち遊技性に関わる部分を交換することにより、全体を略まるごと交換することなく、新しい遊技機で遊技しているかのような印象を与えることができる分離型の遊技機の開発が進められている。
具体的には、スロットマシンの交換に際して、真に交換が必要な部材である遊技担当装置を特定し、かつ交換の効率化をも図った発明がなされている（例えば、特許文献２。）。
【０００６】
また、枠体等の構造用部材に前記リールユニット及び主基板（主制御装置）を設置した交換ユニットを、本体キャビネット内部に着脱自在に形成して、新旧の交換作業を容易にしたスロットマシンに関する技術がある（例えば、特許文献３。）。
【０００７】
【特許文献１】
特開平１０−５２５２５号公報（第１図、第３図、第４図）
【特許文献２】
特開２００３−２４５１３号公報
【特許文献３】
特開２００３−４７６８６号公報
【０００８】
【発明が解決しようとする課題】
上述したような、遊技ホールでの新台入れ替えの際、遊技内容を変更するために遊技機全体を交換するのではなく、遊技内容を変更可能な交換ユニット等の部品だけを交換する、いわゆる分離型の遊技機において、交換ユニットと、この交換ユニットを収納する本体キャビネットの開口上部の寸法形状とは、両者のがたつき等を抑えるために、略同一寸法に設定され、両者の間に大きな隙間が無いように形成されている。このため、交換ユニットの部品交換作業において、本体キャビネットの内部に、交換ユニットを差し込む作業が容易ではなかった。具体的には、乱暴に交換ユニットを本体キャビネット内部に差し込もうとすると、交換ユニットの周囲が、本体キャビネット１の枠等に衝突して、部品が損傷してしまうことがあった。また、交換ユニットの周囲が本体キャビネットに衝突しないように慎重に、交換ユニットを差し込もうとすると、回転リールの駆動モータ等を有して重量物である交換ユニットを長時間、手で支持しなければならず、交換作業が大変な重労働となった。このように、交換ユニットを交換することにより、遊技内容を変更可能な、いわゆる分離型の遊技機と呼ばれるものにおいて、交換ユニットを本体キャビネット内部に差し込むことによる取り付けや、或いは引っ張りだすことによる取り外し等の着脱作業を行う交換ユニットの交換作業が容易ではないという問題点があった。
【０００９】
そこで、各請求項にそれぞれ記載された各発明は、上記した従来の技術の有する問題点に鑑みてなされたものであり、その目的とするところは、次の点にある。
（請求項１）
すなわち、請求項１記載の発明は、上記した従来の技術の有する問題点に鑑みてなされたものであり、その目的とするところは、交換ユニットの本体キャビネットへの着脱作業を容易なものにすることができるようにした遊技機を提供しようとするものである。
【００１０】
（請求項２）
請求項２記載の発明は、上記した請求項１記載の発明の目的に加え、次の点を目的とする。
すなわち、請求項２記載の発明は、交換ユニットの本体キャビネットへの着脱作業を容易なものにすることができ、また、交換ユニットを本体キャビネットに取り付けた後も安定した状態で保持可能な遊技機を提供しようとするものである。
【００１１】
（請求項３）
請求項３記載の発明は、上記した請求項２記載の発明の目的に加え、次の点を目的とする。
すなわち、請求項３記載の発明は、折り曲げガイドを、傾斜させた状態と、ガイド本体と同一方向にした状態との両方の状態を選択して維持することができるようにした遊技機を提供しようとするものである。
【００１２】
（請求項４）
請求項４記載の発明は、上記した請求項２又は請求項３に記載の発明の目的に加え、次の点を目的とする。
すなわち、請求項４記載の発明は、ガイドの手前側が傾斜した状態においても、ガイドを安定した状態で支持することができるようにした遊技機を提供しようとするものである。
【００１３】
（請求項５）
請求項５記載の発明は、上記した請求項２乃至４のいずれか１項に記載の発明の目的に加え、次の点を目的とする。
すなわち、請求項５記載の発明は、交換ユニットを手前側に引き出す場合には、手前側に向かって下り傾斜したガイドに沿って手前側へ楽に移動させることができ、交換ユニットを奥側に収納する場合は、下方に向かって傾斜していない安定した状態のガイド上に配置することができて、安定した状態を維持することができるようにした遊技機を提供しようとするものである。
【００１４】
（請求項６）
請求項６記載の発明は、上記した請求項２乃至４のいずれか１項に記載の発明の目的に加え、次の点を目的とする。
すなわち、請求項６記載の発明は、交換ユニットの着脱作業を更に容易なものにすることができるようにした遊技機を提供しようとするものである。
【００１５】
（請求項７）
請求項７記載の発明は、上記した請求項２乃至６のいずれか１項に記載の発明の目的に加え、次の点を目的とする。
すなわち、請求項７記載の発明は、軟質部材により、容易にガイドの手前側を変形させることができるようにした遊技機を提供しようとするものである。
【００１６】
（請求項８）
請求項８記載の発明は、上記した請求項２乃至６のいずれか１項に記載の発明の目的に加え、次の点を目的とする。
すなわち、請求項８記載の発明は、ガイドの手前側を下方に向かって折り曲げて傾斜させることができるようにした遊技機を提供しようとするものである。
【００１７】
（請求項９）
請求項９記載の発明は、上記した請求項１乃至８のいずれか１項に記載の発明の目的に加え、次の点を目的とする。
すなわち、請求項９記載の発明は、交換作業の途中で、安心して手を交換ユニットから外し、ゆっくりと手の掴み位置を持ち替えることができて、交換ユニットの交換作業を容易なものにすることができるようにした遊技機を提供しようとするものである。
【００１８】
（請求項１０）
請求項１０記載の発明は、上記した請求項１乃至９のいずれか１項に記載の発明の目的に加え、次の点を目的とする。
すなわち、請求項１０記載の発明は、扉一体型交換ユニットの交換作業を容易なものにすることができるようにした遊技機を提供しようとするものである。
【００１９】
【課題を解決するための手段】
（特徴点）
各請求項にそれぞれ記載された各発明は、上記した各目的を達成するためになされたものであり、各発明の特徴点を図面に示した発明の実施の形態を用いて、以下に説明する。
【００２０】
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものでない。
（請求項１）
請求項１記載の発明は、次の点を特徴とする。
【００２１】
すなわち、正面側に開口する正面開口部（１１）を有する本体キャビネット（１）と、前記本体キャビネット（１）の高さ方向の途中に位置して前記本体キャビネット（１）を上下に仕切る中板（１２）と、前記本体キャビネット（１）の正面開口部（１１）を開閉自在に塞ぐ前扉（３）と、複数の図柄が表示された回転リール（２３）及びこの回転リール（２３）を回転表示させるための駆動手段を有するリールユニット（２０）とを備えた遊技機（Ｓ）であって、前記遊技機（Ｓ）は、前記本体キャビネット（１）に対して交換可能に形成された交換ユニット（２）を備え、少なくとも前記リールユニット（２０）は、この前記リールユニット（２０）を装着するための枠（２１）を介して前記交換ユニット（２）に組み込まれ、前記中板（１２）は、その上面に前記交換ユニット（２）を前記正面開口部（１１）の前記中板（１２）より上部側の開口上部（１３）の奥側内部に案内するためのガイド（８０）を備え、前記ガイド（８０）は、手前側を下方に向かって傾斜して形成したことを特徴とする。
【００２２】
また、ここで、「回転リール（４０）」とあるのは、周囲に複数の図柄を表示したものが、実際に回転するようなものに限定されるものではなく、液晶画面に表示されるようなものも含まれるものである。具体的には、例えば、パチンコ機等の遊技盤面の中央に設けた液晶装置を使用することにより、周囲に複数の図柄を表示した回転リールが回転するような画像を当該液晶装置によって遊技者に向かって表示するものも含まれる。また、ここで、「遊技機（１０）」とは、具体的には、例えば、スロットマシンであるが、上述した回転リール（４０）を有するパチンコ機や、その他の遊技機を含むものである。
【００２３】
また、ここで、「前記本体キャビネット（１）に対して交換可能に形成された交換ユニット（２）」とは、具体的には、交換ユニット（２）の枠（２１）の左右両端に鉤状に形成されたフック（３４）と、本体キャビネット（１）の左右内面に固定されて、前記フック（３４）を引っかけて固定可能なクリップ（３５）とからなる着脱が容易な固定装置（１０）を備えていることにより、交換ユニット（２）を本体キャビネット（１）から容易に交換することができるようなものを含むものである。なお、ここで、枠（２１）は、全体形状が枠状からなり、リールユニット（２２）等の部品を交換ユニット（２）に固定可能に形成されているものである。また、この交換ユニット（２）は、リールユニット（２０）の回転リール（２３）を、その周囲に配置した図柄が異なるものに変更することにより、遊技内容を変更するようなものや、主制御装置（２５）の抽選確率を変更することにより、遊技内容を変更するもの等の際に取り外される。
【００２４】
また、ここで、「リールユニット（２０）を装着するための枠（２１）」とは、少なくともリールユニット（２０）を本体キャビネット（１）の内部に固定するため、枠（２１）の内部にリールユニット（２０）を固定して一体のものにすることができるような枠状の構造体であれば良いものであって、具体的には、例えば、図８に示すような略直方体状の枠状構造体を含むものである。
【００２５】
また、ここで、「手前側」とは、交換作業者が、遊技機（Ｓ）の正面側に遊技機（Ｓ）の方を向いて位置しているような場合のかかる交換作業者の手前側を意味する。すなわち、「手前側」とは、遊技機（Ｓ）の奥側から正面側へ向かう方向を意味するものである。したがって、「ガイド（８０）は、手前側を下方に向かって傾斜可能」とは、ガイド（８０）の手前側、すなわちガイド（８０）の正面側が下方に向かって傾斜することができることを意味する。
【００２６】
また、ここで、「奥側」とは、交換作業者が、遊技機（Ｓ）の正面側に遊技機（Ｓ）の方を向いて位置しているような場合のかかる交換作業者から見たときの奥側を意味する。すなわち、「奥側」とは、遊技機（Ｓ）の正面側から後方側へ向かう方向、別の言い方をすると、遊技機（Ｓ）の扉（３）側から裏板（１８）側へ向かう方向を意味する。したがって、「交換ユニット（２）を前記本体キャビネット（１）の奥側内部に案内する」とは、交換ユニット（２）を、本体キャビネット（１）の裏板（１８）側の方向に向かって案内することを意味する。
【００２７】
また、ここで、「ガイド（８０）」とは、交換ユニット（２）を本体キャビネット（１）の奥側内部に案内することができるようなものであれば良いものであって、必ずしも案内レールに限定されるものではなく、中板（１２）から立設して側方へ突出する突条のようなものが、交換ユニット（２）の側方の溝に入り込んで、案内することができるようなものを含むものである。
【００２８】
また、ここで、「ガイド（８０）は、手前側を下方に向かって傾斜して形成した」とは、ガイド（８０）は、ガイド（８０）の手前側を下方に向かって下り傾斜させている状態、すなわちガイド（８０）の手前側が遊技機（Ｓ）の正面側に向かって下り傾斜となるように傾斜した状態で形成されていることを意味する。そして、「手前側を下方に向かって傾斜して形成した」とは、ガイド（８０）が、ガイド（８０）の手前側を下方に向かって傾斜するような形状で当初から固定された状態で形成されているようなものと、ガイド（８０）が、折曲可動して折れ曲がることが可能な回転軸（１３０）等を有する折り曲げ手段（１００）により、折り曲げることにより傾斜した状態を形成しているようなものとの両方を含むものである。
【００２９】
（作用）
本発明は、ガイド（８０）は、手前側を下方に向かって傾斜して形成している。このため、交換ユニット（２）の脱着をするための開口上部（１３）の正面側が拡がった状態となっている。これにより、交換ユニット（２）を開口上部（１３）に差し込む際、その差し込み入り口で、交換ユニット（２）と本体キャビネット（１）との間の隙間が大きくなり、交換ユニット（２）を容易に差し込むことができる。また、かかる隙間が大きくなるため、交換ユニット（２）を本体キャビネット（１）に差し込む際、交換ユニット（２）を、その周囲の本体キャビネット（１）に衝突させて、部品を破損させるようなことを回避することができる。
【００３０】
また、交換ユニット（２）を開口上部（１３）から取り出す際、ガイド（８０）は手前側を下方に向かって傾斜して形成しているため、交換ユニット（２）の自重を利用して、交換ユニット（２）を手前側の下方に向かって滑り下ろすようにして取り出すことができる。これにより、交換作業者が、交換ユニット（２）を水平方向に引っ張り出さなければならない場合と比較して、交換作業者が引っ張り出す力を小さなものにすることができ、取り外し作業を容易なものにすることができる。
【００３１】
（請求項２）
請求項２記載の発明は、上記した請求項２記載の発明の特徴点に加え、次の点を特徴とする。
すなわち、前記ガイド（８０）は、手前側を下方に向かって傾斜可能な折り曲げ手段（１００）を備えたことを特徴とする。
【００３２】
なお、ここで、「折り曲げ手段（１００）」は、ガイド（８０）自体が軟質部材からなり下方に向かって傾斜することができるようなものや、ガイド（８０）の途中が変形可能に形成されているものや、ガイド（８０）を支持している中板（１２）がガイド（８０）とともに変形可能に形成されているようなものも含まれるものである。
また、ここで、「ガイド（８０）は、手前側を下方に向かって傾斜可能な折り曲げ手段（１００）を備えた」の「手前側を下方に向かって傾斜可能」とは、ガイド（８０）の少なくとも手前側を下方に向かって傾斜可能であることを意味し、必ずしもガイド（８０）の手前側のみを下方に向かって傾斜可能なものに限定するものではない。したがって、ガイド（８０）は、ガイド（８０）の手前側だけに限らず、ガイド（８０）の全体を下方に向かって傾斜可能な折り曲げ手段（１００）も、本発明に含まれるものである。
【００３３】
（作用）
本発明は、折り曲げ手段（１００）により、ガイド（８０）の手前側を下方に向かって傾斜させることができる。このため、交換ユニット（２）の脱着をするための開口上部（１３）の正面側を拡げることができる。これにより、交換ユニット（２）を開口上部（１３）に差し込む際、交換ユニット（２）と本体キャビネット（１）との間の隙間を大きくすることができて、交換ユニット（２）を容易に差し込むことができる。また、かかる隙間を大きくすることができるため、交換ユニット（２）を本体キャビネット（１）に差し込む際、交換ユニット（２）を、その周囲の本体キャビネット（１）に衝突させて、部品を破損させるようなことを回避することができる。これにより、部品を破損させないように周囲との衝突への配慮を容易なものとし、交換ユニット（２）の本体キャビネット（１）への取り付け作業を容易なものにすることができる。
【００３４】
また、交換ユニット（２）を開口上部（１３）から取り出す際、折り曲げ手段（１００）により、ガイド（８０）の手前側を下方に向かって傾斜させることができる。このため、交換ユニット（２）の自重を利用して、ガイド（８０）の手前側を下方に向かって滑り下ろすようにして交換ユニット（２）を取り出すことができる。これにより、交換作業者が、交換ユニット（２）を水平方向に引っ張り出さなければならない場合と比較して、交換作業者が引っ張り出す力を小さなものにすることができ、取り外し作業を容易なものにすることができる。
【００３５】
そして、本発明は、交換ユニット（２）の交換作業中、折り曲げ手段（１００）により、ガイド（８０）の手前側を下方に向かって傾斜させることができ、上述したような効果を得ることができる。一方、交換ユニット（２）の交換作業終了後は、折り曲げ手段（１００）により、傾斜を元の状態に戻すことができ、ガイド（８０）の奥側の交換ユニット（２）とガイド（８０）との間の隙間を小さくすることができ、交換ユニット（２）を安定した状態で保持することができる。
【００３６】
（請求項３）
請求項３記載の発明は、上記した請求項２記載の発明の特徴点に加え、次の点を特徴とする。
すなわち、前記折り曲げ手段（１００）は、前記ガイド（８０）の手前側に位置して下方に向かって傾斜可能な折り曲げガイド（１１０）と、前記折り曲げガイド（１１０）を所定の傾きの状態で維持する状態維持手段（１２０）とを備え、前記状態維持手段（１２０）は、前記折り曲げガイド（１１０）を下方に向かって折り曲げて傾斜した状態で維持可能な傾斜状態維持手段（１２１）と、前記折り曲げガイド（１１０）を前記ガイド（８０）本体の設置方向と同一方向に維持可能な同一状態維持手段（１２２）とを備えたことを特徴とする。
【００３７】
なお、ここで、「状態維持手段（１２０）」とは、具体的には、例えば、図５及び図６に示すような回転支持片（１２３）からなるものである。この回転支持片（１２３）は、支持片回転軸（１２４）により、本体キャビネット（１）の側板（１６）内面に回転可能に軸支されているものである。そして、この回転支持片（１２３）の支持片回転軸（１２４）の形成位置は、回転支持片（１２３）の中央ではなく、一方側に偏った位置に設定されている。そして、この回転支持片（１２３）は、支持片回転軸（１２４）からの距離が短い方を傾斜状態維持手段（１２１）として形成し、支持片回転軸（１２４）からの距離が長い方を同一状態維持手段（１２２）として形成しているものである。傾斜状態維持手段（１２１）の先端で、折り曲げガイド（１１０）を支持すると、傾斜状態維持手段（１２１）が同一状態維持手段（１２２）よりも短尺であるため、折り曲げガイド（１１０）の手前側を低い位置で支持することとなり、折り曲げガイド（１１０）は傾斜した状態となるものである。一方、同一状態維持手段（１２２）で、折り曲げガイド（１１０）を支持すると、同一状態維持手段（１２２）が傾斜状態維持手段（１２１）よりも長尺であるため、折り曲げガイド（１１０）の手前側を高い位置で支持することとなる。これにより、折り曲げガイド（１１０）の傾斜角度を２段階に設定することができるものである。
【００３８】
（作用）
本発明は、状態維持手段（１２０）の傾斜状態維持手段（１２１）により、折り曲げガイド（１１０）を下方に向かって折曲可動させて傾斜した状態で維持することができる。また、状態維持手段（１２０）の同一状態維持手段（１２２）により、折り曲げガイド（１１０）をガイド（８０）本体の設置方向と同一方向に維持することができる。このように、状態維持手段（１２０）により、折り曲げガイド（１１０）を、傾斜させた状態と、ガイド（８０）本体と同一方向にした状態との両方の状態を選択して維持することができる。
【００３９】
（請求項４）
請求項４記載の発明は、上記した請求項２又は請求項３記載の発明の特徴点に加え、次の点を特徴とする。
すなわち、前記折り曲げ手段（１００）は、前記中板（１２）と前記ガイド（８０）とが一体として前記ガイド（８０）の手前側の下方に向かって傾斜することを特徴とする。
【００４０】
（作用）
本発明は、中板（１２）を傾斜させることにより、その上面のガイド（８０）も同様に傾斜させることができる。
（請求項５）
請求項５記載の発明は、上記した請求項２乃至４のいずれか１項に記載の発明の特徴点に加え、次の点を特徴とする。
【００４１】
すなわち、前記折り曲げ手段（１００）による折り曲げ位置を、前記ガイド（８０）の前後方向の途中に設けたことを特徴とする。
（作用）
本発明は、折り曲げ手段（１００）による折り曲げ位置を、ガイド（８０）の前後方向の途中に設けている。このため、ガイド（８０）の手前側の先端から前後方向の途中まで、手前側を下方に向かって傾斜させることができ、ガイド（８０）の前後方向の途中から奥側端部までは、手前側を下方に向かって傾斜させないように形成することができる。これにより、交換ユニット（２）を手前側に少し引き出した状態のとき、手前側に向かって下り傾斜したガイド（８０）に沿って手前側へ楽に移動させることができる。
【００４２】
そして、交換ユニット（２）を奥側に位置させた状態のとき、手前側を下方に向かって傾斜していない安定した状態のガイド（８０）上に配置することができる。これにより、収納した状態では、安定した状態を維持することができる。
（請求項６）
請求項６記載の発明は、上記した請求項２乃至４のいずれか１項に記載の発明の特徴点に加え、次の点を特徴とする。
【００４３】
すなわち、前記折り曲げ手段（１００）による折り曲げ位置を、前記ガイド（８０）の奥端部に設けたことを特徴とする。
（作用）
本発明は、折り曲げ手段（１００）による折り曲げ位置を、ガイド（８０）の奥端部に設けたことにより、ガイド（８０）の全体を手前側に向かって下り傾斜させることができ、ガイド（８０）の奥端部からガイド（８０）の手前側までのガイド（８０）の全長を下方に向かって傾斜させることができる。このため、交換ユニット（２）を、その自重によりガイド（８０）の奥側に収納した状態から手前側に向かってガイド（８０）に沿って滑り落とすように引き出すことができる。これにより、交換作業者は、自分の力で交換ユニット（２）を手前側に移動させる必要がなく、交換ユニット（２）の自重を利用して交換ユニット（２）を容易に引き出すことができ、交換ユニットの引き出し作業を容易なものにすることができる。
【００４４】
また、ガイド（８０）の奥端部からガイド（８０）全体を傾斜させることができるため、ガイド（８０）の手前付近から傾斜させた場合と比較して、ガイド（８０）の手前側の開口上部（１３）を大きく、全体に渡って開くことができ、開口上部（１３）の全体の空間を大きなものにすることができる。これにより、交換ユニット（２）を取り付ける際に、交換ユニット（２）の周囲に大きな隙間を設けることができ、交換ユニット（２）の差し込み作業を容易なものにすることができる。
【００４５】
上述したように交換ユニット（２）の着脱作業を更に容易なものにすることができる。
（請求項７）
請求項７記載の発明は、上記した請求項２乃至６のいずれか１項に記載の発明の特徴点に加え、次の点を特徴とする。
【００４６】
すなわち、前記ガイド（８０）の少なくとも手前側を軟質部材（１４０）から形成し、前記折り曲げ手段（１００）による折り曲げは、前記軟質部材（１４０）自身の変形により行われることを特徴とする。
なお、ここで「軟質部材（１４０）自身の変形」とは、例えば、軟質部材（１４０）の途中で変形することを含む。
【００４７】
（作用）
本発明は、ガイド（８０）の少なくとも手前側が軟質部材（１４０）から形成されているため、折り曲げ手段（１００）によるガイド（８０）の折り曲げが、かかる軟質部材の変形により行われる。これにより、容易にガイド（８０）の手前側を変形させることができる。
【００４８】
（請求項８）
請求項８記載の発明は、上記した請求項２乃至６のいずれか１項に記載の発明の特徴点に加え、次の点を特徴とする。
すなわち、前記折り曲げ手段（１００）は、前記ガイド（８０）の手前側に位置して下方に向かって傾斜可能な折り曲げガイド（１１０）と、前記中板（１２）の手前側であって、前記折り曲げガイド（１１０）を上面に固定した折り曲げ中板（１９）と、前記折り曲げ中板（１９）の奥側端部に位置して、前記折り曲げ中板（１９）の傾斜角度を変更可能な折り曲げ回転軸（１３０）とを備えたことを特徴とする。
【００４９】
なお、ここで、折り曲げ回転軸（１３０）は、折り曲げ中板（１９）の奥側端部を、本体キャビネット（１）の側板（１６）に回転可能に軸支するようなものや、折り曲げ中板（１９）の奥側端部を、折り曲げ中板（１９）に隣接する中板（１２）本体の側端部から突出する突出片に回転可能に軸支するようなものを含むものである。
（作用）
本発明は、折り曲げ回転軸（１３０）が、折り曲げ中板（１９）の奥側端部に位置して、折り曲げ中板（１９）の傾斜角度を変更することができる。これにより、折り曲げ中板（１９）の上面に固定した折り曲げガイド（１１０）の傾斜角度を変更することができる。したがって、折り曲げ中板（１９）の手前側を下方に向かって傾斜させることにより、折り曲げガイド（１１０）の手前側を下方に向かって折り曲げて傾斜させることができる。
【００５０】
（請求項９）
請求項９記載の発明は、上記した請求項１乃至８のいずれか１項に記載の発明の特徴点に加え、次の点を特徴とする。
すなわち、前記本体キャビネット（１）は、その正面開口部（１１）から前記交換ユニット（２）の収納位置までの途中の位置に、前記交換ユニット（２）の奥側上部を係止する係止部（５１）を備え、前記交換ユニット（２）を前記係止部（５１）に係止することにより、前記交換ユニット（２）を前記本体キャビネット（１）の正面開口部（１１）から手前側に一部引き出した途中の状態で、且つ、前記折り曲げ手段（１００）により前記交換ユニット（２）を手前側の下方に向かって傾斜させた状態で一時的に保持可能なことを特徴とする。
【００５１】
また、ここで、「前記本体キャビネット（１）は、その正面開口部（１１）から前記交換ユニット（２）の収納位置までの途中の位置に、前記交換ユニット（２）の奥側上部を係止する係止部（５１）を備え」の「その正面開口部（１１）から前記交換ユニット（２）の収納位置までの途中の位置に」は、本体キャビネット（１）の正面開口部（１１）から交換ユニット（２）の収納位置までの途中の位置に係止部（５１）が形成されていることを意味する。
【００５２】
また、ここで、「一時的に保持可能」とは、特に交換ユニット（２）を交換作業者が手で支持することなく、交換作業の途中で交換ユニット（２）が自重により静止した安定した状態を維持することができることを意味するものである。また、「一時的に」とは、交換作業の途中で、一時的に安定した仮止めをすることができることを意味するものである。
【００５３】
また、ここで、「交換ユニット（２）の奥側上部を係止する」の「奥側上部」とは、交換ユニット（２）の奥側（背面側）の上部という狭義の範囲だけではなく、交換ユニット（２）の中央部付近の上部をも含む広義の意である。つまり、交換ユニット（２）を本体キャビネット（１）の正面開口部（１１）から手前側に一部引き出した途中の状態で交換ユニット（２）が係止部（５１）に係止して一時的に保持可能となる位置であれば、その位置が「交換ユニット（２）の奥側上部」を係止する位置となるものである。別言すれば、寸法的には係止される位置が交換ユニット（２）の中央部より若干手前側であっても、その位置で係止部（５１）と係止することで、交換ユニット（２）が一時的に保持されるのであれば、その位置は本発明における交換ユニット（２）の奥側上部に含まれることとなる。
【００５４】
（作用）
本発明は、交換ユニットの交換作業において、本体キャビネット（１）の係止部（５１）が、正面開口部（１１）から交換ユニット（２）の収納位置までの途中の位置で、交換ユニット（２）の奥側上部を係止する。これにより、交換ユニット（２）を本体キャビネット（１）の正面開口部（１１）から手前側に一部引き出した途中の状態で一時的に保持することができる。したがって、交換ユニット（２）は、かかる途中の位置において、安定して支持され、正面開口部（１１）の手前側に向かって倒れ落ちることがない。これにより、交換作業者は、作業の途中で、安心して手を交換ユニット（２）から外し、ゆっくりと手の掴み位置を持ち替えることができる。したがって、交換ユニット（２）の交換作業を容易なものにすることができる。
【００５５】
（請求項１０）
請求項１０記載の発明は、上記した請求項１乃至９のいずれか１項に記載の発明の特徴点に加え、次の点を特徴とする。
すなわち、前記前扉（３）は、前記本体キャビネット（１）の正面開口部（１１）の上部を開閉自在に塞ぐ上扉（３０）と、前記本体キャビネット（１）の正面開口部（１１）の下部を開閉自在に塞ぐ下扉（４０）とを備え、前記交換ユニット（２）の枠（２１）の前面には、前記上扉（３０）を装着し、前記上扉（３０）及び前記交換ユニット（２）により扉一体型交換ユニット（８）を形成し、前記扉一体型交換ユニット（８）は、前記本体キャビネット（１）に対して交換可能に形成されていることを特徴とする。
【００５６】
（作用）
本発明は、交換ユニット（２）ではなく、交換ユニット（２）に上扉（３０）を装着した扉一体型交換ユニット（８）を、本体キャビネット（１）に対して交換することができる。したがって、扉一体型交換ユニット（８）の交換作業において、本体キャビネット（１）の係止部（５１）が、正面開口部（１１）から扉一体型交換ユニット（８）の収納位置までの途中の位置で、扉一体型交換ユニット（８）の奥側上部を係止する。これにより、扉一体型交換ユニット（８）を本体キャビネット（１）の正面開口部（１１）から手前側に一部引き出した途中の状態で一時的に保持することができる。したがって、扉一体型交換ユニット（８）は、かかる途中の位置において、安定して支持され、正面開口部（１１）の手前側に向かって倒れ落ちることがない。これにより、交換作業者は、扉一体型交換ユニット（８）の交換作業の途中で、安心して手を扉一体型交換ユニット（８）から外し、ゆっくりと手の掴み位置を持ち替えることができる。したがって、扉一体型交換ユニット（８）の交換作業を容易なものにすることができる。
【００５７】
【発明の実施の形態】
（第一の実施の形態）
（図面の説明）
図１乃至図１１は、本発明の第一の実施の形態を示すものである。
図１は交換ユニットを本体キャビネットの正面開口部から手前側に一部引き出した途中の状態で、且つ、交換ユニットを傾斜させた状態で一時的に保持している状態の外観側面図、図２は交換作業者が取っ手を手で掴んでいる状態の外観側面図、図３及び図４は遊技機の分解斜視図、図５は傾斜状態維持手段により折り曲げガイドを傾斜させた状態の一部外観側面図、図６は同一状態維持手段により折り曲げガイドをガイド本体と同一方向に維持している状態の一部外観側面図、図７は遊技機の外観側面図、図８は交換ユニットの外観斜視図、図９は係止部の上部係止片に交換ユニットの下部係止片が係止している状態の外観側面図、図１０は係止部の上部係止片に交換ユニットの下部係止片が係止している状態の外観斜視図、図１１は取っ手の外観斜視図をそれぞれ示す。
【００５８】
本実施の形態に係る遊技機Ｓは、具体的には、スロットマシンであって、図３及び図４に示すように、大きく分けて、正面側に開口する正面開口部１１を有する本体キャビネット１、本体キャビネット１内部に着脱自在に設けられる交換ユニット２、本体キャビネット１の正面開口部１１を開閉可能に塞ぐための前扉３とから構成されている。そして、本体キャビネット１の正面開口部１１は、本体キャビネット１の上部に開口する開口上部１３と、本体キャビネット１の下部に開口する開口下部１４とを備えている。そして、前記前扉３は、本体キャビネット１の開口上部１３を開閉可能に塞ぐための上扉３０と、本体キャビネット１の開口下部１４を開閉可能に塞ぐための下扉４０とを備えている。そして、交換ユニット２の手前側には、上扉３０が取り付けられてあり、この交換ユニット２及び上扉３０により、扉一体型交換ユニット８を形成している。すなわち、通常のいわゆる新台入れ替えの際には、交換ユニット２及び上扉３０が一体となった扉一体型交換ユニット８毎に入れ替えることができるものである。もちろん、新台入れ替えの際、上扉３０は、そのままで、交換ユニット２だけを交換することもできる。
【００５９】
なお、ここで、「手前側」とは、交換作業者が、遊技機Ｓの正面側に遊技機Ｓの方を向いて位置しているような場合のかかる交換作業者の手前側を意味する。したがって、手前側方向とは、遊技機Ｓの奥から正面へ向かう方向を意味する。また、「奥側」とは、交換作業者が、遊技機Ｓの正面側に遊技機Ｓの方を向いて位置しているような場合のかかる交換作業者から見たときの奥側を意味する。したがって、奥側方向とは、遊技機Ｓの正面から奥へ向かう方向を意味する。
【００６０】
（本体キャビネット１）
上記本体キャビネット１は、全体形状が略箱状であって、図３に示すように、底板１５、側板１６、天板１７及び裏板１８からなる正面側に開口する筺体である。そして、この本体キャビネット１の高さ方向略中央部には、二つの側板１６の間に水平方向に中板１２が渡してある。そして、この中板１２は、扉一体型交換ユニット８を本体キャビネット１の奥側内部に案内するためのガイド８０を左右側部に備えている。また、中板１２は、金属板からなるものである。そして、中板１２のガイド８０を除いた前端縁には上方に向かって９０度折り曲げられた立ち上がり片９４が形成されている。そして、底板１５には、電源装置４と、ホッパーユニットとも呼ばれる払い出し装置５とが固定されている。
【００６１】
ここで、電源装置４は、開口下部１４の底板１５の上面に取り付けられており、遊技店側が種々の設定を行うためのスイッチ等の操作部を有している。
上記電源装置４及び払い出し装置５は、交換ユニット２の交換に際し、必ずしも交換する必要のないものであり、交換時には設置されたままにしておけるようになっているものである。
【００６２】
また、側板１６の正面左側の下部には、前記下扉４０を係合させ、回転自在に支持するための本体係合部６２が、上下方向に間隔をおいて二つ設けられている。
さらに、本体係合部６２の対向側の側板１６には、下扉４０を閉めた際、下扉４０をロックするための突出片６９（図４）が、上下方向に間隔をおいて二つ設けられている。
【００６３】
上記本体キャビネット１の裏板１８の上部には、扉一体型交換ユニット８内部の部品と、本体キャビネット１内部の部品との間で電気的接続をするための接続コード８３の一端を差し込み可能な本体側接続部８２が形成されている。前記接続コード８３は、扉一体型交換ユニット８内部の部品と、本体キャビネット１内部の部品との間で電気的接続をするためのいわゆるハーネスとも呼ばれるものである。そして、この接続コード８３は、この接続コード８３本体の一端側に本体キャビネット１の本体側接続部８２へ接続するための本体側接続端子８４を有している。そして、この接続コード８３は、接続コード８３本体の他端側、すなわち本体側接続端子８４が形成されていない方の端部に、交換ユニット２側の接続部２７へ接続するための交換側接続端子８５を有している。そして、交換ユニット２の交換作業において、かかる接続コード８３の本体側接続端子８４は、本体側接続部８２へ接続した状態のまま維持される。そして、接続コード８３の交換側接続端子８５は、古い交換ユニット２の接続部２７から取り外され、新たな交換ユニット２の接続部２７へ取り付けられるものである。
【００６４】
なお、特に図示していないが、この本体側接続部８２から本体キャビネット１内部の電源装置４や、払い出し装置５等の部品への電気的な接続をするためのいわゆるハーネスが形成されている。これにより、主制御装置２５からの制御信号を、払い出し装置５や電源装置４へ送信することができ、また、基板ユニット２４からの供給電源を、交換ユニット２内部の主制御装置２５やリールユニット２０へ伝達することができる。
【００６５】
（ガイド８０）
上記ガイド８０は、扉一体型交換ユニット８を本体キャビネット１の奥側内部に案内するためのものである。このガイド８０は、図３に示すように中板１２の左右に位置して、前後方向に形成された２本の帯板レール状のものであって、交換ユニット２の下部に配置された移動体８１としてのローラーが回転移動可能なものである。
【００６６】
前記ガイド８０は、手前側を下方に向かって傾斜して形成してある。具体的には、ガイド８０は、手前側を下方に向かって傾斜可能な折り曲げ手段１００を備えている。
（折り曲げ手段１００）
上記折り曲げ手段１００は、ガイド８０の手前側を下方に向かって傾斜可能なものであって、中板１２とガイド８０とが一体としてガイド８０の手前側の下方に向かって傾斜可能なものである。この折り曲げ手段１００は、ガイド８０の手前側に位置して下方に向かって傾斜可能な折り曲げガイド１１０と、中板１２の手前側であって、折り曲げガイド１１０を上面に固定した折り曲げ中板１９と、折り曲げガイド１１０を所定の傾きの状態で維持する状態維持手段１２０とを備えている。
【００６７】
前記折り曲げガイド１１０は、ガイド８０の手前側の折り曲げ中板１９の左右上面に形成されているガイド８０からなるものである。そして、この折り曲げガイド１１０は、中板１２の手前側の折り曲げ中板１９の左右上面に固定されている。そして、折り曲げ中板１９の手前側の下方への傾斜とともに、折り曲げ中板１９と一体となって、かかる折り曲げガイド１１０も、手前側の下方に向かって傾斜可能に形成されているものである。
【００６８】
前記状態維持手段１２０は、折り曲げ中板１９の傾斜とともに折り曲げガイド１１０を下方に向かって折り曲げて傾斜した状態で維持可能な傾斜状態維持手段１２１と、折り曲げ中板１９の略水平方向の維持とともに折り曲げガイド１１０をガイド８０本体の設置方向と同一方向に維持可能な同一状態維持手段１２２とを備えている。
前記状態維持手段１２０は、図５及び図６に示すような棒状の回転支持片１２３からなるものである。この回転支持片１２３は、支持片回転軸１２４により、本体キャビネット１の側板１６内面に回転可能に軸支されているものである。そして、この回転支持片１２３の支持片回転軸１２４の形成位置は、回転支持片１２３の中央ではなく、回転支持片１２３の長手方向の一方側に偏った位置に設定されている。そして、この回転支持片１２３は、支持片回転軸１２４からの距離が短い方（短尺側）を傾斜状態維持手段１２１として形成し、支持片回転軸１２４からの距離が長い方（長尺側）を同一状態維持手段１２２として形成しているものである。
【００６９】
そして、図５に示すように、支持片回転軸１２４を回転させて、短尺側の傾斜状態維持手段１２１を上側に配置し、かかる傾斜状態維持手段１２１の先端で、折り曲げ中板１９の下面を支持すると、折り曲げ中板１９は折り曲げ回転軸１３０を回転軸の中心として回転し、傾斜状態維持手段１２１が同一状態維持手段１２２よりも短尺であるため、折り曲げガイド１１０及び折り曲げ中板１９の手前側を同一状態維持手段１２２で支持した場合よりも低い位置で支持することとなる。これにより、折り曲げガイド１１０は手前側を下方に向かって傾斜した状態となる。
【００７０】
一方、図６に示すように、支持片回転軸１２４を回転させて、長尺側の同一状態維持手段１２２を上側に配置し、かかる同一状態維持手段１２２の先端で、折り曲げ中板１９の下面を支持すると、折り曲げ中板１９は折り曲げ回転軸１３０を回転軸の中心として回転し、同一状態維持手段１２２が傾斜状態維持手段１２１よりも長尺であるため、折り曲げガイド１１０及び折り曲げ中板１９の手前側を傾斜状態維持手段１２１で支持した場合よりも高い位置で支持することとなる。そして、同一状態維持手段１２２は、先端から支持片回転軸１２４までの長尺方向の長さが、折り曲げガイド１１０をガイド８０の本体と同一方向となるような距離に予め設定されている。これにより、折り曲げガイド１１０は、ガイド８０の奥側の本体と同一直線方向に連続するような傾斜状態を維持することができる。
【００７１】
上述したように、状態維持手段１２０は、回転支持片１２３を回転させて、傾斜状態維持手段１２１と同一状態維持手段１２２とのいずれかで折り曲げ中板１９の下面を支持することにより、折り曲げ中板１９及びその上面に固定した折り曲げガイド１１０の傾斜角度を２段階に設定することができるものである。
上記本体キャビネット１の天板１７の下面の手前側には、交換ユニット２の奥側上部を係止するための係止部５１を備えている。
【００７２】
（係止部５１）
上記係止部５１は、本体キャビネット１の正面開口部１１から交換ユニット２の収納位置までの途中の位置に形成されて、交換ユニット２の奥側上部を係止するためのものである。これは、交換ユニット２を係止部５１に係止することにより、交換ユニット２を本体キャビネット１の正面開口部１１から手前側に一部引き出した途中の状態で一時的に保持可能なものである。そして、係止部５１は、本体キャビネット１の天板１７の下面の手前側付近から下方に向かって突出して、交換ユニット２の奥側上端が手前側に向かって移動するのを阻止する上部係止片５２を備えている。更に、具体的には、上部係止片５２は、その縦断面形状が略逆コ字状であって、本体キャビネット１の奥側に向かって開口するように配置されている。そして、この上部係止片５２は、その略逆コ字状の上部を、天板１７の下面にねじ等の締結部材（図示せず）で固定することにより、本体キャビネット１の天板１７に固定されているものである。そして、交換ユニット２の下部係止片５３は、交換ユニット２の奥側上部から上方に向かって突出している。この上部係止片５２の開口内部に、交換ユニット２の上部の上部係止片５２の先端が入り込むことにより、上部係止片５２と下部係止片５３とが互いに当接し、交換ユニット２の奥側上端が手前側に向かって移動するのを阻止する。これにより、両者は係止状態となるものである。
【００７３】
さらに、具体的には、前記係止部５１は、交換ユニット２を手前下方に傾けたときに交換ユニット２の奥側上部の下部係止片５３が係止するように形成されている。
したがって、交換ユニット２の一部を手前側に引いて、交換ユニット２を手前下方に傾けたときに、中板１２の手前側端部を支点として、交換ユニット２の奥側上部がその反作用として、上方に向かって傾く。そして、交換ユニット２の奥側上部の下部係止片５３が上方に向かって移動して、本体キャビネット１の係止部５１の上部係止片５２に係止するように配置されている。
【００７４】
一方、交換ユニット２が手前下方に傾いていないときは、中板１２の手前側前端を支点として、交換ユニット２の奥側上部も上方に向かって傾かない。したがって、交換ユニット２の奥側上部の下部係止片５３も上方に向かって移動せず、下部係止片５３は本体キャビネット１の係止部５１の上部係止片５２に係止しない。
これにより、交換ユニット２の奥側上部の下部係止片５３と、本体キャビネット１の係止部５１の上部係止片５２とを係止させたい場合には、交換ユニット２を手前下方に傾けて前後方向に移動させれば良く、そして、両者を係止させたくない場合には、交換ユニット２を手前下方に傾けずに水平状態を維持すれば良い。これにより、交換ユニット２の傾きの有無により、交換ユニット２と係止部５１との係止の有無をコントロールすることができる。
【００７５】
なお、交換ユニット２を手前下方に傾ける際、状態維持手段１２０である回転支持片１２３を回転させて、傾斜状態維持手段１２１により折り曲げ中板１９の下面を支持するようにすると、折り曲げ中板１９及び折り曲げガイド１１０を手前側を下方に向かって下り傾斜させることができる。これにより、上部係止片５２及び下部係止片５３が係止した状態の交換ユニット２を更に傾斜させた状態で安定した維持することができるものである。
【００７６】
（扉一体型交換ユニット８）
上記扉一体型交換ユニット８は、遊技ホールにおける、いわゆる新台入れ替えの際、遊技内容を変更するために本体キャビネット１に対して交換可能に形成されているものである。この扉一体型交換ユニット８は、交換ユニット２と、この交換ユニット２の手前側に開閉可能に取り付けられた上扉３０とから形成されているものである。この交換ユニット２及び上扉３０は、両者が一体となった状態で、本体キャビネット１から取り外し、また、取り付けることができるように形成されている。なお、交換ユニット２から上扉３０を取り外せば、いわゆる新台入れ替えの際、上扉３０はそのまま交換せずに、交換ユニット２だけを交換することができる。このように、交換ユニット２だけの取り付けや、取り外しも可能となるように形成されている。
【００７７】
上記扉一体型交換ユニット８の交換ユニット２は、固定装置１０を介して本体キャビネット１に着脱自在に取り付けられているものである。この固定装置１０は、交換ユニット２の枠２１の左右両端に鉤状に形成されたフック３４と、本体キャビネット１の左右内面に固定されて、前記フック３４を引っかけて固定可能なクリップ３５とからなる着脱が容易なものである。
【００７８】
上記扉一体型交換ユニット８の交換ユニット２は、リールユニット２０及び基板ユニット２４を装着するための四角枠状の部材を組み合わせた枠２１と、この枠２１の上部に位置してリールユニット２０の上方を覆う上板７０と、枠２１の上部に位置して上方から手で握ることが可能な取っ手７１とを備えている。すなわち、リールユニット２０及び主制御装置２５は、これらを装着するための枠２１を介して、交換ユニット２に組み込まれているものである。また、扉一体型交換ユニット８の交換ユニット２は、その下部に固定されてガイド８０に沿って移動可能な移動体８１を備えている。具体的には、移動体８１は、扉一体型交換ユニット８の交換ユニット２の奥側左右の下部に回転可能な円板状の回転ローラーからなるものである。
【００７９】
前記扉一体型交換ユニット８の交換ユニット２は、前記枠２１の下部に固定されたリールユニット２２と、枠２１の上部奥側に固定された基板ユニット２４とを備えている。
ここで、リールユニット２２は、周囲に複数の図柄を表示した３個の回転リール２３と、特に図示しないが、それぞれの回転リール２３を回転させるための駆動モータを有している。また、前記基板ユニット２４は、回転リール２３の回転等を制御するための主制御装置２５が透明樹脂からなる四角箱状の基板ケース２６の内部に収納されているものである。
【００８０】
前記枠２１の正面左側の縦枠には、前記上扉３０を回転自在に係合するための枠体係合部６０が、上下方向に間隔をおいて二つ設けられている。
さらに、枠２１の正面右側の縦枠には、上扉３０を閉めた際、上扉３０をロックするための突出片６９（図４及び図８）が、上下方向に間隔をおいて二つ設けられている。このように、枠２１の左側の枠体係合部６０と、枠２１の右側の突出片６９とにより、上扉３０が枠２１に回動可能に固定され、両者を一体のものにすることができる。
【００８１】
また、前記枠２１の正面下端の横枠には、下方に向かって折れ曲がって、下方に向かって突出した状態の折れ曲がり片９５（図８）が形成されている。この折れ曲がり片９５の裏面は、中板１２の立ち上がり片９４（図３）の前面と当接することにより、扉一体型交換ユニット８の前後方向の位置決めが決定される。
前記交換ユニット２の枠２１は、その奥側上部から上方に向かって突出して、本体キャビネット１の上部係止片５２に係止可能な下部係止片５３を備えている。そして、下部係止片５３は、その縦断面形状が図９に示すように表裏逆の略Ｌ字状であって、そのＬ字状の先端が前面側に向かって延びるような配置に形成されている。
【００８２】
（接続部２７）
上記接続部２７は、上述したように、交換ユニット２と本体キャビネット１との間の電気的接続をするために、本体キャビネット１に予め一端が接続された接続コード８３の他端を接続するためのものである。具体的には、接続部２７は、主制御装置２５の前面側に、その差し込み口が前面側を向くように配置している。すなわち、接続部２７を、交換ユニット２の前面側に向かって臨むように配置しているものである。このため、交換作業者は、扉一体型交換ユニット８或いは交換ユニット２を手前側に一部引き出した途中の状態で、接続コード８３の交換側接続端子８５を交換ユニット２の上部から差し込んだ手で掴んで、その交換側接続端子８５を基板ユニット２４の前面側から後方に向かって移動させて差し込むことができる。これにより、交換作業者は、基板ユニット２４の前面側に設けた接続部２７を、手許で間近に見ながら、作業をすることができて、交換作業における接続コード８３の結線作業を容易なものにすることができる。
【００８３】
なお、特に図示していないが、かかる接続部２７から主制御装置２５や、リールユニット２０内部の部品へ、制御信号や、供給電力が供給されるように交換ユニット２内部で予め配線されている。したがって、交換作業者は、交換ユニット２の交換作業において、交換ユニット２の接続部２７と、本体キャビネット１の本体側接続部８２との間を、接続コード８３により、連結することにより、遊技機Ｓ内部の電気的接続は完了するように設定されている。
【００８４】
（上板７０）
上記上板７０は、枠２１の上部に設けられて、リールユニット２０の上方を覆っているものである。具体的には、上板７０は、枠２１の高さ方向途中の横方向に渡されるように枠２１に固定されているものである。この上板７０は、リールユニット２０の上方を覆うような位置に固定されているものである。この上板７０は、その側端及び後ろ側の端部において、複数個のねじ及びボルトからなる締結部材により、枠２１にしっかりと固定されているものである。なお、この上板７０は、金属性の板状の板状部材からなり、交換ユニット２の全体の重量が加わっても変形しないような強度を有している。そして、この上板７０の上面には、折りたたみ可能な取っ手７１が形成されている。
【００８５】
（取っ手７１）
上記取っ手７１は、枠２１の上部に設けられて、交換ユニット２の交換作業者が上方から或いは前方から手を差し込んで握ることが可能なものである。具体的には、取っ手７１は、上板７０の上面の前後方向の略中央付近に、左右の横方向に把持可能な棒状のものが形成されているものである。さらに、具体的には、取っ手７１は、図１１に示すように、交換作業者が作業中に、上方から或いは前方から差し込んだ手で握るための取っ手本体部７２と、この取っ手本体部７２の両端を上板７０に連結する連結部７３とを備えている。
【００８６】
前記取っ手本体部７２は、手で掴むことが可能な円柱棒状であって、横方向に渡された金属性からなる握り棒７６と、この握り棒７６の左右両端を左右の連結部７３にそれぞれ繋げるための金属性からなる短尺板状の支持片７７とを備えている。すなわち、１本の握り棒７６と、その両端から延びる２本の支持片７７とにより、取っ手本体部７２は、その全体形状が略コ字状に形成されている。
【００８７】
前記連結部７３は、取っ手本体部７２を連結部７３の回りに回動可能な回動手段７４を備えている。前記連結部７３は、２枚の短尺片の間に、支持片７７が回動可能に挟み込まれている構造を有している。そして、前記回動手段７４は、連結部７３及び支持片７７を同一中心軸により貫通するピン孔７８と、このピン孔７８に差し込まれた回動ピン７５とから形成されているものである。取っ手本体部７２の支持片７７は、このピン７５を回転の中心軸として、前後方向に１８０度、回動可能となるように形成されている。
【００８８】
なお、回動手段７４は、取っ手本体部７２を手前側若しくは奥側のいずれか一方側に向かって、回転させるような力を加えることが可能なバネ等の弾性付与部材を備えても良いものである。すなわち、渦巻きバネや、コイル等の弾性付与部材を使用して、常時、取っ手本体部７２を手前側或いは奥側に向かって回転する方向に力を加えるものである。これにより、交換ユニット２を持ち上げるときは、取っ手本体部７２を手で掴んで天板１７から鉛直方向に立設させることができ、一方、取っ手本体部７２を手で持たないときは、弾性付与部材の弾性復元力により、取っ手本体部７２を上板７０の上面に沿って自動的に倒すことができて、取っ手７１を自動的に折りたたむことができる。したがって、交換ユニット２の上方での電気接続コードの結線作業等において、作業者が作業に邪魔な取っ手７１を折りたたむという工程を省くことができる。
【００８９】
（上扉３０）
上記上扉３０は、扉一体型交換ユニット８を構成する部品の一つであり、交換ユニット２の枠２１に回転自在かつロック可能に形成されている板状の扉である。そして、上扉３０は、略中央部に前記回転リール２３の図柄を正面側から見ることができる図柄表示窓３１を有し、周囲に飾り部３３が設けられ、種々の表示を行うための表示装置３２が設けられているものである。
【００９０】
ここで、前記飾り部３３は、他のランプ等により形成しても良く、入賞の報知その他の演出時にランプが点滅するように形成してもよい。また、前記表示装置３２は、７セグメントＬＥＤ等により数字を表示するものや、特に図示しないが、画像を表示するための液晶表示装置やＣＲＴなどとしてもよいものである。
さらに、図４に示すように、上扉３０の左側の裏面には、前記枠体係合部６０に係合可能な上扉係合部６１が上下方向に間隔をおいて二つ設けられている。そして、上扉３０の右側の裏面には、扉ロック機構７が設けられている。そして、上扉３０の裏面上部の左右には、種々の音声を出力するためのスピーカ４９が設けられている。
【００９１】
（下扉４０）
上記下扉４０は、本体キャビネット１の開口下部１４を塞ぐための、上扉３０よりも幅厚の扉であり、本体キャビネット１の側板１６に回転自在かつロック可能に形成されているものである。
前記下扉４０の上部は、遊技機Ｓを作動させるための操作部４１となっており、下扉４０の上面は、閉扉時においては、上扉３０よりも前側に突出するようになっている。また、下部には払い出されたメダルを溜めておくための箱状のメダル受け４３が形成されており、下扉４０の略中央部には、遊技内容その他の案内表示をするための前パネル５０が嵌め込まれている。
【００９２】
前記操作部４１としては、下扉４０の上面右端にはメダル投入口４２と、上面左側に設けられたベットスイッチと、正面側にはレバー式のスタートスイッチと、ボタン式のストップスイッチと、鍵穴４４とが設けられている。なお、ベットスイッチとは、貯留メダルをメダル投入に代えるためのものであり、スタートスイッチ及びストップスイッチは、回転リール２３の回転を開始及び停止させるためのものである。また、鍵穴４４は、前扉３を解錠するためのものであり、この穴に所定の鍵を差し込んで回すと、下扉４０の扉ロック機構７のロックが解除されるものである。
【００９３】
さらに、図４に示すように、下扉４０の裏面側には、前記メダル投入口４２から投入された遊技メダルを誘導しながら遊技メダルの正偽を判断するためのメダルセレクター４８が設けられている。
また、下扉４０の左側の裏面には、前記本体係合部６２と係合可能な下扉係合部６３が上下方向に間隔をおいて二つ設けられている。そして、下扉４０の右側の裏面には、本体キャビネット１の突出片６９にロック可能なアンカー状のものを有する扉ロック機構７が設けられている。
【００９４】
（作用及び効果）
本実施の形態は、折り曲げ手段１００により、ガイド８０の手前側を下方に向かって傾斜させることができる。このため、交換ユニット２の脱着をするための開口上部１３の正面側の開口面積を拡げることができる。これにより、交換ユニット２を開口上部１３に差し込む際、交換ユニット２と本体キャビネット１との間の隙間を大きくすることができて、交換ユニット２を容易に差し込むことができる。また、かかる隙間を大きくすることができるため、交換ユニット２を本体キャビネット１に差し込む際、交換ユニット２を、その周囲の本体キャビネット１に衝突させて、部品を破損させるようなことを回避することができる。これにより、部品を破損させないように周囲との衝突への配慮を容易なものとし、交換ユニット２の本体キャビネット１への取り付け作業を容易なものにすることができる。
【００９５】
また、交換ユニット２を開口上部１３から取り出す際、折り曲げ手段１００により、ガイド８０の手前側を下方に向かって傾斜させることができる。このため、交換ユニット２の自重を利用して、ガイド８０の手前側を下方に向かって滑り下ろすようにして交換ユニット２を取り出すことができる。これにより、交換作業者が、交換ユニット２を本体キャビネット１から引き抜く最後まで水平方向に引っ張り出さなければならない場合と比較して、交換作業者が引っ張り出す力を小さなものにすることができ、取り外し作業を容易なものにすることができる。
【００９６】
そして、交換ユニット２の交換作業中、折り曲げ手段１００により、ガイド８０の手前側を下方に向かって傾斜させることができ、上述したような効果を得ることができ、一方、交換ユニット２の交換作業終了後は、折り曲げ手段１００により、傾斜を元の状態に戻すことができ、ガイド８０の奥側の交換ユニット２とガイド８０との間の隙間を小さくすることができ、交換ユニット２を安定した状態で保持することができる。
【００９７】
そして、本実施の形態では、状態維持手段１２０の傾斜状態維持手段１２１により、折り曲げガイド１１０を下方に向かって折曲可動させて傾斜した状態で維持することができる。また、状態維持手段１２０の同一状態維持手段１２２により、折り曲げガイド１１０をガイド８０本体の設置方向と同一方向に維持することができる。これにより、状態維持手段１２０により、折り曲げガイド１１０を、傾斜させた状態と、ガイド８０本体と同一方向にした状態との両方の状態を選択して維持することができる。
【００９８】
そして、本実施の形態は、折り曲げ手段１００による折り曲げ位置を、ガイド８０の前後方向の途中の手前側に設けている。このため、ガイド８０の手前側の先端から前後方向の途中まで、手前側を下方に向かって傾斜させることができ、ガイド８０の前後方向の途中から奥側端部までは、手前側を下方に向かって傾斜させずに奥側に向かって僅かに下り傾斜するように形成することができる。これにより、交換ユニット２を手前側に少し引き出した状態のとき、手前側に向かって下り傾斜したガイド８０に沿って手前側へ楽に移動させることができる。
【００９９】
そして、交換ユニット２を奥側に位置させた状態のとき、手前側を下方に向かって傾斜していなくて、奥側に向かって僅かに下り傾斜した安定した状態のガイド８０上に配置することができる。これにより、収納した状態では、安定した状態を維持することができる。
本実施の形態は、折り曲げ回転軸１３０が、折り曲げ中板１９の奥側端部に位置して、折り曲げ中板１９の傾斜角度を変更した状態で保持することができる。これにより、折り曲げ中板１９の上面に固定した折り曲げガイド１１０の傾斜角度を変更することができる。したがって、折り曲げ中板１９の手前側を下方に向かって傾斜させることにより、折り曲げガイド１１０の手前側を下方に向かって折り曲げて傾斜させることができる。
【０１００】
本実施の形態は、交換ユニットの交換作業において、本体キャビネット１の係止部５１が、正面開口部１１から交換ユニット２の収納位置までの途中の位置で、交換ユニット２の奥側上部を係止する。これにより、交換ユニット２を本体キャビネット１の正面開口部１１から手前側に一部引き出した途中の状態で一時的に保持することができる。したがって、交換ユニット２は、かかる途中の位置において、安定して支持され、正面開口部１１の手前側に向かって倒れ落ちることがない。これにより、交換作業者は、作業の途中で、安心して手を交換ユニット２から外し、ゆっくりと手の掴み位置を持ち替えることができる。したがって、交換ユニット２の交換作業を容易なものにすることができる。
【０１０１】
本実施の形態に係る遊技機Ｓは、本体キャビネット１から延びる接続コード８３を接続するための接続部２７が交換ユニット２の上部奥側の基板ユニット２４に設けてある。そして、交換ユニット２を係止部５１に係止させて、手前側に一部引き出した状態で保持することにより、交換ユニット２の上部奥側の接続部２７への接続作業を、交換作業者の手許で確実に且つ簡単に行うことができる。これにより、交換ユニット２や扉一体型交換ユニット８の交換作業において、いわゆるハーネスと呼ばれる電気的接続コードの結線作業を容易なものにすることができる。
【０１０２】
一方、接続コード８３による電気的接続作業が終了した後、交換ユニット２を本体キャビネット１の奥側の本来の収納位置に配置することにより、交換ユニット２の上部奥側に設けた接続部２７を、本体キャビネット１の奥側に配置することができる。これにより、接続部２７を正面開口部１１から後ろ側に離して配置することができ、前面側からのワイヤ等の異物混入によるゴト行為や、前面側からの強力な電磁波による、いわゆる電波ゴト等の影響を回避することができる。
【０１０３】
なお、本実施の形態では、交換ユニット２に上扉３０を装着した扉一体型交換ユニット８を形成し、かかる扉一体型交換ユニット８を交換して、遊技内容を変更しているが、かかる作用及び効果は、扉一体型交換ユニット８から上扉３０を取り外した交換ユニット２だけの交換作業においても、同様の作用及び効果を奏するものである。
【０１０４】
本実施の形態に係る遊技機Ｓの扉一体型交換ユニット８は、交換作業の際、取っ手７１を手で握って持ち上げることができて、取り扱いに便利であり、扉一体型交換ユニット８や交換ユニット２の交換作業を容易なものにすることができる。
そして、扉一体型交換ユニット８や交換ユニット２の交換作業において、移動体８１及びガイド８０が形成されているため、スムーズに移動させることができる。
【０１０５】
そして、本実施の形態に係る遊技機Ｓは、取っ手７１が枠２１の上部に形成されているため、上方から差し込んだ手で、容易に取っ手７１を掴むことができる。
そして、本実施の形態に係る遊技機Ｓは、取っ手７１の長手方向が左右方向となっているため、かかる取っ手７１を本体キャビネット１の上面側から握ると、取っ手７１を前後方向に引っ張り、或いは、押し込む場合、力の方向と、手で掴む取っ手７１の軸方向とが直交する関係となる。これは人の手の構造を考えても人間工学的に、掴みやすく持ちやすい方向であり、前後方向への移動を容易なものにする。
【０１０６】
本実施の形態に係る遊技機Ｓは、取っ手本体部７２を連結部７３の回りに回動させることができる。これにより、取っ手７１を使用する場合は、取っ手本体部７２を上方に向かって立設させることにより、手で取っ手本体部７２をつかむのに便利である。そして、取っ手７１を使用しない場合には、取っ手本体部７２を横に倒して折りたたむことができる。これにより、取っ手７１の上方の空間を開けることができて、接続部２７の交換側接続端子８５を、基板ユニット２４の接続部２７へ接続する結線作業等の邪魔にならないようにすることができる。
【０１０７】
本実施の形態に係る交換ユニット２は、枠２１の上部にリールユニット６０の上方を覆う面状の面状部材からなる上板７０を備えている。このため、リールユニット６０の上方から自重により落下してくる小さな埃が、リールユニット２０の内部に降り積もることを回避することができる。また、交換作業の際、リールユニット２０の上方で接続作業を行うような場合、接続作業における電気接続コード等の破片が、下方に落下して、リールユニット２０の内部に入りこむことを回避することができる。
【０１０８】
さらに、上板７０がリールユニット２０の上方を覆っているため、交換作業の際や、また、通常使用時においても、何らかの契機により、電気接続コードが下方のリールユニット２０に向かって垂れ下がって、回転リール２３に絡むようなことを回避することができる。これにより、リールユニット２０の回転リール２３の回転動作の不良発生を抑えることができ、また、埃によるメインテナンスも頻繁にする必要が無く、維持管理を容易にすることができる。
【０１０９】
（遊技機Ｓの交換手順）
以上のように構成されたスロットマシンからなる遊技機Ｓについて、遊技内容変更のための台交換は、以下のように行うことができる。
本実施の形態に係る遊技機Ｓは、上扉３０及び交換ユニット２からなる扉一体型交換ユニット８を取り替えることができる。すなわち、下扉４０を開けてから上扉３０の扉ロック機構７のロックを解除して、上扉３０を開く、そして、本体キャビネット１の左右内部のクリップ３５をフック３４から外して固定装置１０のロックを解除する。そして、開いていた上扉３０を再度、本体キャビネット１の開口上部１３側に向かって閉じる。これにより、扉ロック機構７が作動して上扉３０は交換ユニット２の手前側に固定される。これにより、上扉３０及び交換ユニット２が一体となった扉一体型交換ユニット８を本体キャビネット１から取り外すことが可能となる。
【０１１０】
次に、折り曲げ手段１００により、ガイド８０の手前側を下方に向かって傾斜させる。具体的には、状態維持手段１２０の左右の回転支持片１２３を回転して、傾斜状態維持手段１２１の先端が折り曲げ中板１９の下面を支持するように上を向ける。これにより、折り曲げ中板１９の下面が、回転支持片１２３の傾斜状態維持手段１２１の先端に当接して、折り曲げ中板１９は、先端が下方に向かって傾斜した状態となる。
【０１１１】
そして、その状態から交換作業者は上扉３０の手前側の正面部、側部或いは上部等を持って、扉一体型交換ユニット８を手前側に僅かに移動させる。そして、移動体８１も、扉一体型交換ユニット８の移動にともなって手前側に移動する。そして、扉一体型交換ユニット８の一部を手前側へ引き出した状態で、扉一体型交換ユニット８の手前側を、折り曲げ中板１９の傾斜した折り曲げガイド１１０に沿って、手前下方に傾ける。そして、扉一体型交換ユニット８を手前下方に傾けた状態のままで、手前側に向かって引っ張ると、扉一体型交換ユニット８の下部係止片５３が、本体キャビネット１の係止部５１の上部係止片５２の内部に入り込んで、下部係止片５３及び上部係止片５２が係止状態となる。これにより、交換作業者が扉一体型交換ユニット８を支持している手を外しても、かかる状態において扉一体型交換ユニット８は手前側に向かって倒れることなく、安定した傾斜状態で停止している状態にすることができる。そして、その安定した傾斜状態のままで、交換作業者は、扉一体型交換ユニット８の上方から手を差し込んで、接続コード８３の交換側接続端子８５を、基板ユニット２４の接続部２７から引き抜く。
【０１１２】
そして、交換作業者は、扉一体型交換ユニット８の上方から手を差し込んで、片方の手で取っ手７１を掴んで、扉一体型交換ユニット８をガイド８０と平行状態に戻して、上部係止片５２及び下部係止片５３の係止状態を解除した後、扉一体型交換ユニット８を手前方向に引っ張る。これにより、扉一体型交換ユニット８を本体キャビネット１の開口上部１３から取り外すことができる。その際、折り曲げ中板１９及び折り曲げガイド１１０は、傾斜させた状態のままで、下部係止片５３が上部係止片５２と係止しない程度に扉一体型交換ユニット８を手前側下方に傾斜させて、折り曲げガイド１１０の傾斜面に沿って、滑り下ろすように扉一体型交換ユニット８を本体キャビネット１から引っ張りだすことができる。これにより、扉一体型交換ユニット８の自重を利用して、引っ張り下ろすことができて、扉一体型交換ユニット８の取り外し作業を容易なものにすることができる。
【０１１３】
もちろん、扉一体型交換ユニット８を引っ張り出す際、折り曲げ中板１９及び折り曲げガイド１１０は、図２に示すように、傾斜させずに、元の状態に戻した状態で、扉一体型交換ユニット８を手前側に引っ張りだしても良いものである。
そして、新たな扉一体型交換ユニット８を、上述した手順と逆に行うことにより、扉一体型交換ユニット８を本体キャビネット１内部に装着することができる。
【０１１４】
具体的には、折り曲げ手段１００により、折り曲げ中板１９及び折り曲げガイド１１０を手前側を下方に向かって傾斜させた状態とする。具体的には、折り曲げ手段１００の回転支持片１２３を回転させて、傾斜状態維持手段１２１の先端が折り曲げ中板１９の下面に当接するような状態とするものである。これにより、折り曲げ中板１９の下面が、回転支持片１２３の傾斜状態維持手段１２１の先端に当接して、折り曲げ中板１９は、先端が下方に向かって傾斜した状態となる。かかる状態において、新たな扉一体型交換ユニット８を、本体キャビネット１の正面開口部１１から差し込んで、奥側に向かって押し込む。かかる差し込み作業において、折り曲げ中板１９が下方に向かって傾斜していることにより、本体キャビネット１の開口上部１３の開口面積が拡がっていることとなり、差し込み作業を容易に行うことができる。そして、扉一体型交換ユニット８の下部係止片５３が係止部５１の上部係止片５２を通り過ぎた後、更に、扉一体型交換ユニット８の手前側を下方に向かって傾けて、扉一体型交換ユニット８を僅かに手前側に向かって引っ張ると、下部係止片５３が上部係止片５２の間に入り込んで、両者は係止状態となる。かかる状態において、交換作業者が、扉一体型交換ユニット８を支持している手を外しても、扉一体型交換ユニット８は手前側に向かって倒れることもなく、交換途中の安定した傾斜状態で停止した状態となる。そして、その斜めに傾いて安定した停止状態のままで、交換作業者は、自由になった両手を使って扉一体型交換ユニット８の上方から手を差し込んで、交換作業者の手許で接続コード８３の交換側接続端子８５を、基板ユニット２４の接続コード８３へ差し込むことができ、安全、確実且つ容易に接続作業を行うことができる。これにより、交換作業における電気的な結線作業が終了する。そして、交換作業者は、折り曲げ手段１００を元に戻して、折り曲げ中板１９及び折り曲げガイド１１０を略水平状態に戻す。そして、扉一体型交換ユニット８も略水平状態に戻して、そのまま本体キャビネット１の奥側に向かって押し込むことにより、扉一体型交換ユニット８の折れ曲がり片９５が、中板１２の立ち上がり片９４に当接して、予め予定された収納位置に納まることとなる。そして、上扉３０の扉ロック機構７のロックを解除して、上扉３０を開き、本体キャビネット１の左右内部のクリップ３５をフック３４に引っかけて固定装置１０をロック状態とする。そして、開いていた上扉３０を再度、本体キャビネット１の開口上部１３側に向かって閉じる。これにより、扉ロック機構７が作動して上扉３０は交換ユニット２の手前側に固定される。これにより、新たな扉一体型交換ユニット８の本体キャビネット１への取り付け作業が終了する。
【０１１５】
なお、上述した扉一体型交換ユニット８の交換作業中、上部係止片５２及び下部係止片５３の係止状態を解除して、扉一体型交換ユニット８をガイド８０と平行状態にした場合、ガイド８０が奥側に向かって僅かに下り傾斜に形成されているため、扉一体型交換ユニット８は、下り傾斜のガイド８０に沿って自重により奥側に移動する。このため、扉一体型交換ユニット８が手前側に移動して扉一体型交換ユニット８が手前側に向かって倒れて落下するようなことはない。
【０１１６】
（第二の実施の形態）
図１２乃至図１５は、本発明の第二の実施の形態であって、図１２は交換ユニットを本体キャビネットの正面開口部から手前側に一部引き出した途中の状態で、且つ、交換ユニットを傾斜させた状態で一時的に保持している状態の外観側面図、図１３は交換作業者が取っ手を手で掴んでいる状態の外観側面図、図１４は傾斜状態維持手段により折り曲げガイドを傾斜させた状態の一部外観側面図、図１５は同一状態維持手段により折り曲げガイドをガイド本体と同一方向に維持している状態の一部外観側面図をそれぞれ示すものである。
【０１１７】
本実施の形態は、ガイド８０及び中板１２の手前側を軟質部材１４０から形成しているものである。そして、折り曲げ手段１００による折り曲げは、かかる軟質部材１４０自身の変形により行われることに特徴を有するものである。その他の構成は、第一の実施の形態と同一である。
具体的には、中板１２は、その手前側に位置して下方に向かって折り曲げ可能な折り曲げ中板１９を備えている。そして、ガイド８０は、折り曲げ中板１９の両端に位置して、下方に向かって折り曲げ可能な折り曲げガイド１１０を備えている。具体的には、折り曲げ中板１９及び折り曲げガイド１１０のいずれも軟質樹脂からなる軟質部材１４０により形成されているものである。この折り曲げガイド１１０は、折り曲げ中板１９の左右両端の僅かに凹んだ（図示せず）表面の溝から形成されているものである。この折り曲げ中板１９及び折り曲げガイド１１０の軟質樹脂は、交換ユニット２程度の重量が上から加わると簡単に図１４に示すように変形可能なものである。そして、作用及び効果も、第一の実施の形態で説明したものと同様であるため、説明を省略する。
【０１１８】
（第三の実施の形態）
図１６は、本発明の第三の実施の形態であって、交換ユニットを本体キャビネットの正面開口部から手前側に一部引き出した途中の状態で、且つ、交換ユニットを傾斜させた状態で一時的に保持している状態の外観側面図である。
第一及び第二の実施の形態では、中板１２及びガイド８０の手前側が下方に向かって可動して傾斜するものであったが、本実施の形態では、中板１２及びガイド８０は、予め手前側を下方に向かって傾斜して状態で形成されているものである。すなわち、傾斜するためにガイド８０及び中板１２の手前側が可動するものではなく、最初から最後まで傾斜した状態の固定した状態で形成されているものであり、可動しないように形成されているものである。
【０１１９】
本実施の形態では、折り曲げガイド１１０や折り曲げ中板１９を折り曲げ回転軸１３０により可動させるものではなく、また、軟質部材により変形させるものでもない。このため、中板１２を当初から固定した状態のもので形成することができるため、強度的に強固なものとすることができる。これにより、交換ユニット２の交換作業において、大きな荷重が集中的に加わっても、中板１２の変形や破損を回避することができる。
【０１２０】
そして、中板１２及びガイド８０の手前側には、当初から手前側に折り曲げられた折り曲げ中板１９及び折り曲げガイド１１０が形成されているものである。そして、この折り曲げ中板１９及び折り曲げガイド１１０により、手前側に傾斜した折り曲げ部１５０が形成されているものである。そして、かかる折り曲げ部１５０を有していることにより、交換ユニット２の着脱作業時において、第一の実施の形態で説明した作用及び効果と同様に、着脱作業を容易なものにすることができる。
【０１２１】
（第四の実施の形態）
図１７及び図１８は、第四の実施の形態であって、図１７は交換ユニットを本体キャビネットの正面開口部から手前側に一部引き出した途中の状態で、且つ、交換ユニットを傾斜させた状態で一時的に保持している状態の外観側面図、図１８は交換作業者が取っ手を手で掴んでいる状態の外観側面図をそれぞれ示すものである。
【０１２２】
第一及び第二の実施の形態では、折り曲げ手段１００による折り曲げ位置を、ガイド８０の前後方向の途中に設けていたのに対して、本実施の形態では、折り曲げ手段１００による折り曲げ位置を、ガイド８０の奥端部に設けてあることに特徴を有するものである。
具体的には、本実施の形態に係る折り曲げ手段１００は、中板１２の側面の奥端部と、本体キャビネット１の側板１６の奥端部との間に両者を回転可能に軸支する奥側回転軸１６０を備えていることに特徴を有するものである。別の見方をすると、第一の実施の形態の折り曲げガイド１１０及び折り曲げ中板１９が、ガイド８０及び中板１２の前後方向の全長にわたって形成されているものでもある。なお、回転支持片１２３は、第一の実施の形態のものより、全体として長尺に形成されている。その他の構成は、第一の実施の形態で説明したものと同様である。
【０１２３】
したがって、状態維持手段１２０である回転支持片１２３を回転させることにより、すなわち、傾斜状態維持手段１２１及び同一状態維持手段１２２のいずれの先端が、中板１２の下面と当接するかを選択することにより、ガイド８０及び中板１２は、奥側回転軸１６０を回転軸の中心として、傾斜した状態と、通常状態との２つの状態を選択することができる。状態維持手段１２０の傾斜状態維持手段１２１の先端が中板１２の下面と当接するように回転支持片１２３を回転させることにより、図１７に示すように、中板１２及びガイド８０を下方に向かって下り傾斜の状態に維持することができる。また、状態維持手段１２０の同一状態維持手段１２２の先端が中板１２の下面と当接するように回転支持片１２３を回転させることにより、図１８に示すように、中板１２及びガイド８０を通常状態の略水平状態に維持することができる。これにより、第一の実施の形態で説明した作用及び効果と同様に、交換ユニット２の着脱作業を容易なものにすることができる。加えて、折り曲げ位置が奥側にあることから、中板１２を下方に傾けると中板１２全体が奥側から手前側に向けて下り傾斜し、交換ユニット２の取り外しが一層容易となる。
【０１２４】
なお、ここで、本実施の形態に係るガイド８０及び中板１２の全部を、第二の実施の形態で使用した軟質部材から形成しても良いものである。
【０１２５】
【発明の効果】
本発明は、以上のように構成されているので、以下に記載されるような効果を奏する。
（請求項１）
請求項１記載の発明によれば、次のような効果を奏する。
【０１２６】
すなわち、請求項１記載の発明によれば、交換ユニットの本体キャビネットへの着脱作業を容易なものにすることができるようにした遊技機を提供することができる。
（請求項２）
請求項２記載の発明によれば、上記した請求項１記載の発明の効果に加え、次のような効果を奏する。
【０１２７】
すなわち、請求項２記載の発明によれば、交換ユニットの本体キャビネットへの着脱作業を容易なものにすることができ、また、交換ユニットを本体キャビネットに取り付けた後も安定した状態で保持可能な遊技機を提供することができる。
（請求項３）
請求項３記載の発明によれば、上記した請求項２記載の発明の効果に加え、次のような効果を奏する。
【０１２８】
すなわち、請求項３記載の発明によれば、折り曲げガイドを、傾斜させた状態と、ガイド本体と同一方向にした状態との両方の状態を選択して維持することができるようにした遊技機を提供することができる。
（請求項４）
請求項４記載の発明によれば、上記した請求項２又は請求項３に記載の発明の効果に加え、次のような効果を奏する。
【０１２９】
すなわち、請求項４記載の発明によれば、ガイドの手前側が傾斜した状態においても、ガイドを安定した状態で支持することができるようにした遊技機を提供することができる。
（請求項５）
請求項５記載の発明によれば、上記した請求項２乃至４のいずれか１項に記載の発明の効果に加え、次のような効果を奏する。
【０１３０】
すなわち、請求項５記載の発明によれば、交換ユニットを手前側に引き出す場合には、手前側に向かって下り傾斜したガイドに沿って手前側へ楽に移動させることができ、交換ユニットを奥側に収納する場合は、下方に向かって傾斜していない安定した状態のガイド上に配置することができて、安定した状態を維持することができるようにした遊技機を提供することができる。
【０１３１】
（請求項６）
請求項６記載の発明によれば、上記した請求項２乃至４のいずれか１項に記載の発明の効果に加え、次のような効果を奏する。
すなわち、請求項６記載の発明によれば、交換ユニットの着脱作業を更に容易なものにすることができるようにした遊技機を提供することができる。
【０１３２】
（請求項７）
請求項７記載の発明によれば、上記した請求項２乃至６のいずれか１項に記載の発明の効果に加え、次のような効果を奏する。
すなわち、請求項７記載の発明によれば、軟質部材により、容易にガイドの手前側を変形させることができるようにした遊技機を提供することができる。
【０１３３】
（請求項８）
請求項８記載の発明によれば、上記した請求項２乃至６のいずれか１項に記載の発明の効果に加え、次のような効果を奏する。
すなわち、請求項８記載の発明によれば、ガイドの手前側を下方に向かって折り曲げて傾斜させることができるようにした遊技機を提供することができる。
【０１３４】
（請求項９）
請求項９記載の発明によれば、上記した請求項１乃至８のいずれか１項に記載の発明の効果に加え、次のような効果を奏する。
すなわち、請求項９記載の発明によれば、交換作業の途中で、安心して手を交換ユニットから外し、ゆっくりと手の掴み位置を持ち替えることができて、交換ユニットの交換作業を容易なものにすることができるようにした遊技機を提供することができる。
【０１３５】
（請求項１０）
請求項１０記載の発明によれば、上記した請求項１乃至９のいずれか１項に記載の発明の効果に加え、次のような効果を奏する。
すなわち、請求項１０記載の発明によれば、扉一体型交換ユニットの交換作業を容易なものにすることができるようにした遊技機を提供することができる。
【図面の簡単な説明】
【図１】本発明の第一の実施の形態であって、交換ユニットを本体キャビネットの正面開口部から手前側に一部引き出した途中の状態で、且つ、交換ユニットを傾斜させた状態で一時的に保持している状態を示す外観側面図である。
【図２】本発明の第一の実施の形態であって、交換作業者が取っ手を手で掴んでいる状態を示す外観側面図である。
【図３】本発明の第一の実施の形態であって、遊技機を示す分解斜視図である。
【図４】本発明の第一の実施の形態であって、遊技機を示す分解斜視図である。
【図５】本発明の第一の実施の形態であって、傾斜状態維持手段により折り曲げガイドを傾斜させた状態を示す一部外観側面である。
【図６】本発明の第一の実施の形態であって、同一状態維持手段により折り曲げガイドをガイド本体と同一方向に維持している状態を示す一部外観側面図である。
【図７】本発明の第一の実施の形態であって、遊技機を示す外観側面図である。
【図８】本発明の第一の実施の形態であって、交換ユニットを示す外観斜視図である。
【図９】本発明の第一の実施の形態であって、係止部の上部係止片に交換ユニットの下部係止片が係止している状態を示す外観側面図である。
【図１０】本発明の第一の実施の形態であって、係止部の上部係止片に交換ユニットの下部係止片が係止している状態を示す外観斜視図である。
【図１１】本発明の第一の実施の形態であって、取っ手を示す外観斜視図である。
【図１２】本発明の第二の実施の形態であって、交換ユニットを本体キャビネットの正面開口部から手前側に一部引き出した途中の状態で、且つ、交換ユニットを傾斜させた状態で一時的に保持している状態を示す外観側面図である。
【図１３】本発明の第二の実施の形態であって、交換作業者が取っ手を手で掴んでいる状態を示す外観側面図である。
【図１４】本発明の第二の実施の形態であって、傾斜状態維持手段により折り曲げガイドを傾斜させた状態を示す一部外観側面図である。
【図１５】本発明の第二の実施の形態であって、同一状態維持手段により折り曲げガイドをガイド本体と同一方向に維持している状態を示す一部外観側面図である。
【図１６】本発明の第三の実施の形態であって、交換ユニットを本体キャビネットの正面開口部から手前側に一部引き出した途中の状態で、且つ、交換ユニットを傾斜させた状態で一時的に保持している状態を示す外観側面図である。
【図１７】本発明の第四の実施の形態であって、交換ユニットを本体キャビネットの正面開口部から手前側に一部引き出した途中の状態で、且つ、交換ユニットを傾斜させた状態で一時的に保持している状態を示す外観側面図である。
【図１８】本発明の第四の実施の形態であって、交換作業者が取っ手を手で掴んでいる状態を示す外観側面図である。
【符号の説明】
Ｓ    遊技機                          １    本体キャビネット
２    交換ユニット                    ３    扉
４    電源装置                        ５    払い出し装置
７    扉ロック機構                    ８    扉一体型交換ユニット
１０  固定装置                        １１  正面開口部
１２  中板                            １３  開口上部
１４  開口下部                        １５  底板
１６  側板                            １７  天板
１８  裏板                            １９  折り曲げ中板
２０  リールユニット                  ２１  枠
２３  回転リール                      ２４  基板ユニット
２５  主制御装置                      ２６  基板ケース
２７  接続部                          ３０  上扉
３１  表示窓                          ３２  表示装置
３３  飾り部                          ３４  フック
３５  クリップ                        ４０  下扉
４１  操作部                          ４２  メダル投入口
４３  メダル受け                      ４４  鍵穴
４８  メダルセレクター                ４９  スピーカー
５０  前パネル                        ５１  係止部
５２  上部係止片                      ５３  下部係止片
６０  枠体係合部                      ６１  上扉係合部
６２  本体係合部                      ６３  下扉係合部
６９  突出片                          ７０  上板
７１  取っ手                          ７２  取っ手本体部
７３  連結部                          ７４  回動手段
７５  回動ピン                        ７６  握り棒
７７  支持片                          ７８  ピン孔
８０  ガイド                          ８１  移動体
８２  本体側接続部                    ８３  接続コード
８４  本体側接続端子                  ８５  交換側接続端子
９４  立ち上がり片                    ９５  折れ曲がり片
１００    折り曲げ手段                  １１０    折り曲げガイド
１２０    状態維持手段                  １２１    傾斜状態維持手段
１２２    同一状態維持手段              １２３    回転支持片
１２４    支持片回転軸                  １３０    折り曲げ回転軸
１４０    軟質部材                      １５０    折り曲げ部
１６０    奥側回転軸
【図１】
2004254909.tif 000003
【図２】
2004254909.tif 000004
【図３】
2004254909.tif 000005
【図４】
2004254909.tif 000006
【図５】
2004254909.tif 000007
【図６】
2004254909.tif 000008
【図７】
2004254909.tif 000009
【図８】
2004254909.tif 000010
【図９】
2004254909.tif 000011
【図１０】
2004254909.tif 000012
【図１１】
2004254909.tif 000013
【図１２】
2004254909.tif 000014
【図１３】
2004254909.tif 000015
【図１４】
2004254909.tif 000016
【図１５】
2004254909.tif 000017
【図１６】
2004254909.tif 000018
【図１７】
2004254909.tif 000019
【図１８】
2004254909.tif 000020